(57)【要約】【課題】外部電極を持たなくても点灯できる誘電体バリア放電型放電ランプ、またその放電ランプを点灯させることができる照明装置を提供する。【解決手段】柔軟なゴム弾性を持つ導電材で形成され、ランプ挿入穴２２０が形成されたソケット２２，２２の一対を対向配置し、一対のソケットの対向面間において、外部両端に外部電極を持たない管状ガラスランプ容器２１１にて構成される誘電体バリア放電型放電ランプ２１の一端を一方のソケット２２のランプ挿入穴２２０に圧入し、同じ誘電体バリア放電型放電ランプ２１の他端を他方のソケット２２のランプ挿入穴２２０に圧入し、一対のソケット２２，２２の内の一方のハーネス接続部２２１に高周波電源２４からの給電ハーネス２５の一方を接続し、一対のソケット２２，２２の内の他方のハーネス接続部２２０に高周波電源２４からの給電ハーネス２５の他方を接続した照明装置。【選択図】      図２
2004164906.tif 000002
【特許請求の範囲】
【請求項１】
管状ガラスランプ容器内に放電媒体を封入し、当該管状ガラスランプ容器の外部両端に外部電極を持たない誘電体バリア放電型放電ランプ。
【請求項２】
柔軟なゴム弾性を持つ導電材で形成され、ランプ挿入穴が形成されたソケットの一対を対向配置し、
前記一対のソケットの対向面間において、外部両端に外部電極を持たない管状ガラスランプ容器にて構成される誘電体バリア放電型放電ランプの一端を一方のソケットのランプ挿入穴に圧入し、前記対向面間において、前記誘電体バリア放電型放電ランプの他端を他方のソケットのランプ挿入穴に圧入し、
前記一対のソケットの内の一方のハーネス接続部に高周波電源からの給電ハーネスの一方を接続し、前記一対のソケットの内の他方のハーネス接続部に前記高周波電源からの給電ハーネスの他方を接続して成る照明装置。
【請求項３】
柔軟なゴム弾性を持つ、棒状の導電材で形成され、一端部にハーネス接続部を有し、長手方向に間隔を置いて複数のランプ挿入穴が形成されたソケットの一対を対向配置し、
前記一対のソケットの対向面間において、外部両端に外部電極を持たない管状ガラスランプ容器にて構成される誘電体バリア放電型放電ランプの複数本それぞれの一端を一方のソケットの複数のランプ挿入穴各々に圧入し、前記対向面間において、複数本の誘電体バリア放電型放電ランプの各々の他端を他方のソケットの複数のランプ挿入穴各々に圧入し、
前記一対のソケットの内の一方のハーネス接続部に高周波電源からの給電ハーネスの一方を接続し、前記一対のソケットの内の他方のハーネス接続部に前記高周波電源からの給電ハーネスの他方を接続して成る照明装置。
【発明の詳細な説明】
【０００１】
【発明の属する技術分野】
本発明は、誘電体バリア放電型放電ランプ及び照明装置に関する。
【０００２】
【従来の技術】
液晶テレビジョンのように高輝度を要求される表示装置のバックライトとして、特開２００２−８４０８号公報に記載されたような外部電極型の誘電バリア放電型放電ランプ（ＥＥＦＬ）を利用した平面パネル蛍光ランプ方式のものが提案されている。
【０００３】
この従来のバックライトでは、同公報の図４（ｂ）に示すように、複数本の外部電極蛍光ランプを並列し、各ランプの両端の外部電極を左右の給電ユニットそれぞれに平行に並べられているカプセル型ソケット各々に差し込み、この給電ユニット間に高周波電圧を印加し、各ランプを放電点灯させる。
【０００４】
このような従来のバックライトの場合、給電ユニットに平行に並べられた各カプセル型ソケットに外部電極蛍光ランプ各々の外部電極部分を差し込む構成であるため、給電ユニットの製作において、複数のカプセル型ソケットを列設する工程が必要であり、高輝度実現のために多数のソケットを１つの給電ユニットに作り込もうとすれば、高度な製造技術が必要となり、コストが嵩む問題点があった。
【０００５】
【特許文献１】
特開２００２−８４０８号公報
【０００６】
【発明が解決しようとする課題】
このような技術的課題に鑑みて、本願発明者らは特願２００２−２５５５７１号の明細書に記載の発明にて、接続するＥＥＦＬの本数が多数化しても容易に対応でき、製造コストの低減が図れるソケット、外部電極蛍光ランプ用ソケットアセンブリ、外部電極蛍光ランプ用給電ユニット、照明装置及び液晶表示装置を提示している。
【０００７】
本願発明者らはさらに、ＥＥＦＬ及び照明装置の技術開発の進展において、導電性とゴム弾性を有するソケットを利用する場合、外部電極を特徴とするＥＥＦＬではあるが、そのような外部電極を設けずとも、導電性とゴム弾性を有するソケットによってランプ管の両端の固定支持と共に外部電極としての機能は果たさせることができることに気付いた。
【０００８】
本願発明は、この着目点を敷衍して開発された外部電極を持たないでも放電ランプとして点灯させることができる誘電体バリア放電型放電ランプ、また、外部電極を持たない誘電体バリア放電型放電ランプを点灯させることができる照明装置を提供することを目的とする。
【０００９】
【課題を解決するための手段】
請求項１の発明の誘電体バリア放電型放電ランプは、管状ガラスランプ容器内に放電媒体を封入し、当該管状ガラスランプ容器の外部両端に外部電極を持たないものである。
【００１０】
請求項１の発明の誘電体バリア放電型放電ランプでは、これを請求項２の構成の照明装置あるいは請求項３の構成の照明装置に装着することによって、ソケット側に外部電極としての役目を果たさせ、誘電体バリア放電によって点灯させることができる。このため、当該誘電体バリア放電型放電ランプの製造工程において、外部電極を形成する工程を省略することができて工程数の削減と材料削減によるコスト低減が可能になる。
【００１１】
請求項２の発明の照明装置は、柔軟なゴム弾性を持つ導電材で形成され、ランプ挿入穴が形成されたソケットの一対を対向配置し、前記一対のソケットの対向面間において、外部両端に外部電極を持たない管状ガラスランプ容器にて構成される誘電体バリア放電型放電ランプの一端を一方のソケットのランプ挿入穴に圧入し、前記対向面間において、前記誘電体バリア放電型放電ランプの他端を他方のソケットのランプ挿入穴に圧入し、前記一対のソケットの内の一方のハーネス接続部に高周波電源からの給電ハーネスの一方を接続し、前記一対のソケットの内の他方のハーネス接続部に前記高周波電源からの給電ハーネスの他方を接続したものである。
【００１２】
請求項３の発明の照明装置は、柔軟なゴム弾性を持つ、棒状の導電材で形成され、一端部にハーネス接続部を有し、長手方向に間隔を置いて複数のランプ挿入穴が形成されたソケットの一対を対向配置し、前記一対のソケットの対向面間において、外部両端に外部電極を持たない管状ガラスランプ容器にて構成される誘電体バリア放電型放電ランプの複数本それぞれの一端を一方のソケットの複数のランプ挿入穴各々に圧入し、前記対向面間において、複数本の誘電体バリア放電型放電ランプの各々の他端を他方のソケットの複数のランプ挿入穴各々に圧入し、前記一対のソケットの内の一方のハーネス接続部に高周波電源からの給電ハーネスの一方を接続し、前記一対のソケットの内の他方のハーネス接続部に前記高周波電源からの給電ハーネスの他方を接続したものである。
【００１３】
請求項２及び３の発明の照明装置では、誘電体バリア放電型放電ランプとして外部電極なしのものを１本あるいは複数本装着して点灯させることができるので、使用する放電ランプのコスト低減が図れ、ひいてはランニングコストの低減が可能となる。
【００１４】
【発明の実施の形態】
以下、本発明の実施の形態を図に基づいて詳説する。図１は本発明の第１の実施の形態の照明装置の分解図であり、図２はこの実施の形態の照明装置に使用されるソケットアセンブリの要部の分解図である。
【００１５】
この実施の形態の照明装置は液晶用バックライトとして使用されるもので、液晶パネル１０を背面から照明するように構成されている。液晶パネル１０は一般に知られているもので、カラー液晶パネルである。
【００１６】
液晶パネル１０に対するバックライトをなす照明装置２０は、多数本の並設された誘電バリア放電型放電ランプ（ＥＥＦＬ）２１、ソケット２２、ソケットホルダ２３、高周波電源をなすインバータ２４、インバータ２４から両側のソケット２２に高周波電圧を給電するハーネス２５、両側のソケットホルダ２３を所定位置に固定する下フレーム２６、多数本のＥＥＦＬ２１の光を所定方向（図１において上方）に反射させる反射板２７、多数本のＥＥＦＬ２１からの光を均一に拡散させる拡散板２８及び拡散シート２９、そして上フレーム２１０を図示のように配置し、一体に組立てたものである。
【００１７】
図３に示すように、ＥＥＦＬ２１は、管状ガラスランプ容器２１１の内部に水銀と希ガスの混合ガスによる充填剤２１２を封入し、またその内壁面に、必要に応じて蛍光体層２１３を形成したものである。本発明のＥＥＦＬ２１の特徴として、外部電極を管状ガラスランプ容器２１１の両端外面に形成していない。
【００１８】
ソケット２２は、例えばシリコンゴムに適当な割合でカーボン粒子を混合し、成形することによって得られた柔軟なゴム弾性を持つ棒状の導電材である。このソケット２２には、長手方向に一定の間隔を置いて多数のランプ挿入穴２２０が穿ってある。図２に詳しいように、このランプ挿入穴２２０の径は、ＥＥＦＬ２１の端部の外径よりも小さめに設定し、ランプ端部をこのランプ挿入穴２２０に圧入することによってそのランプ端部の外面をソケット２２に電気的に密着させ、当該ソケット２２がＥＥＦＬ本来の外部電極となるとともにＥＥＦＬ２１に給電するための電極を兼用することになる。ソケット２２はまた、ＥＥＦＬ２１のランプ端部を機械的に保持する。
【００１９】
ソケット２２の一端部にはハーネス接続部２２１が形成してある。このハーネス接続部２２１には、金属金具２２２を装着し、ねじ２２３、ナット２２４で高周波インバータ２４からのハーネス２５を金属金具２２２にねじ止めする構成である。このため、ソケット２２のハーネス接続部２２１と金属金具２２２とにはねじ通し穴２２５，２２６が穿ってある。
【００２０】
ソケットホルダ２３は、例えばポリカーボネートのような難燃・絶縁性樹脂の成形体であり、照明装置として組立てた状態でソケット２２のランプ挿入側の側面以外の側面が外部に露出しない状態で収容できる形状にして、柔軟なソケット２２を外側から覆い、保形している。
【００２１】
これらのソケット２２とソケットホルダ２３との組で片側のソケットアセンブリ３０が構成される。そして、２体のソケットアセンブリ３０を１８０度回転対称となる配置にして、多数本のＥＥＦＬ２１のそれぞれの両端部を各ソケットアセンブリ３０内のソケット２２のランプ挿入穴２２０に圧入し、また、２体のソケットアセンブリ３０各々のハーネス接続部２２１にインバータ２４からの２本のハーネス２５各々を接続することによって給電ユニットが構成される。
【００２２】
上記構成の照明装置２０では、柔軟なゴム弾性を持つ、棒状の導電材で形成され、一端部にハーネス接続部２２１を有し、長手方向に間隔を置いて複数のランプ挿入穴２２０が形成されたソケット２２を利用し、多数本のＥＥＦＬ２１各々の端部を各ランプ挿入穴２２０に圧入し、ハーネス接続部２２１に高周波インバータ２４からのハーネス２５を接続することによって、各ＥＥＦＬ２１の端部外周に同時に並列的に高周波電圧を印加して放電点灯させ、液晶パネル１０のバックライトとすることができる。
【００２３】
このため、本発明の照明装置２０では、多数本のＥＥＦＬ２１の接続のための構造が棒状の導電材のソケット２２にランプ挿入穴２２０を形成するだけの単純なものであり、その製造が容易で、コストの低減化が可能である。
【００２４】
また、この照明装置２０に装着するＥＥＦＬ２１は両端部に外部電極を持たず、図４に示したように、管状ガラスランプ容器２１１の端部外周に密着するソケット２２側によって外部電極と給電電極とを兼用させるので、ＥＥＦＬ２１の構成がきわめて単純化され、また外部電極用品が不要となるためにそのコストを大きく低減できる。
【００２５】
なお、上記のソケット２２及びそのハーネス接続部２２１の構造は、図５や図６に示す構成にすることができる。
【００２６】
図５に示す第２の実施の形態では、ソケットホルダ２３の端部のハーネス接続部２２１に対応する位置にねじ止め用ボス２３１が一体的に形成してある。一方、ソケット２２の一端部のハーネス接続部２２１の一側面には、ねじ止め用ボス２３１を背面側から挿入するボス挿入穴（図示せず）を形成し、その反対面から当該ボス挿入穴に貫通するねじ通し穴２２７を形成してある。
【００２７】
ソケットアセンブリ３０の構成に際しては、ソケットホルダ２３の端部のねじ止め用ボス２３１をソケット２２のハーネス接続部２２１のボス挿入穴に裏側から挿入し、このソケット２２とソケットホルダ２３を一体に組立てる。
【００２８】
そして、照明装置２０として組立てる際には、図１に示したのと同様に高周波インバータ２４からのハーネス２５の端部のハーネス接続端子２５Ａをソケット２２のハーネス接続部２２１のねじ通し穴２２７の周辺にあてがい、ねじ２２８をねじ通し穴２２７に挿入し、ねじ止め用ボス２３１側にねじ込み、ハーネス接続端子２５Ａをソケット２２のソケット接続部２２１に接触させた状態で固定する。これによって、比較的もろい材質となるソケット２２の薄肉になっているハーネス接続部２２１をソケットホルダ２３側のねじ止め用ボス２３１によって補強し、また、ねじ２２８によってハーネス接続端子２５Ａをソケット２２のハーネス接続部２２１の表面に圧接した状態で固定できる。
【００２９】
図６に示す第３の実施の形態では、ソケット２２の一端部のハーネス接続部２２１に金属ナット２３２を焼付け同時成形し、図１に示したのと同様に高周波インバータ２４からのハーネス２５の接続端子２５Ａをこの金属ナット２３２にねじ２３３によって固定するようにしている。
【００３０】
この構成によっても、ハーネス２５のねじ止めによりハーネス接続端子２５Ａを金属ナット２３２を介してソケット２２と機械的に固定すると共に電気的に接続できる。
【００３１】
【発明の効果】
以上のように請求項１の発明の誘電体バリア放電型放電ランプによれば、これを請求項２の構成の照明装置あるいは請求項３の構成の照明装置に装着することによって、ソケット側に外部電極としての役目を果たさせ、誘電体バリア放電によって点灯させることができ、このため、当該誘電体バリア放電型放電ランプの製造工程において、外部電極を形成する工程を省略することができて工程数の削減と材料削減によるコスト低減が可能である。
【００３２】
請求項２及び３の発明の照明装置によれば、誘電体バリア放電型放電ランプとして外部電極なしのものを１本あるいは複数本装着して点灯させることができるので、使用する放電ランプのコスト低減が図れ、ひいてはランニングコストの低減が可能となる。
【図面の簡単な説明】
【図１】本発明の第１の実施の形態の照明装置の分解斜視図。
【図２】上記実施の形態におけるソケットアセンブリのハーネス接続部分を示す分解斜視図。
【図３】上記実施の形態に使用する誘電体バリア放電型放電ランプのランプ軸方向断面図。
【図４】上記実施の形態における誘電体バリア放電型放電ランプの端部のソケットに対する装着状態を示す断面図。
【図５】本発明の第２の実施の形態の照明装置におけるソケットアセンブリのハーネス接続部分を示す分解斜視図。
【図６】本発明の第３の実施の形態の照明装置におけるソケットアセンブリのハーネス接続部分を示す分解斜視図。
【符号の説明】
１０  液晶パネル
２０  照明装置
２１  ＥＥＦＬ（誘電バリア放電型放電ランプ）
２２  ソケット
２３  ソケットホルダ
２４  高周波インバータ
２５  ハーネス
２５Ａ  ハーネス接続端子
３０  ソケットアセンブリ
２１１  管状ガラスランプ容器
２１２  充填剤
２１３  蛍光体層
２２０  ランプ挿入穴
２２１  ハーネス接続部
【図１】
2004164906.tif 000003
【図２】
2004164906.tif 000004
【図３】
2004164906.tif 000005
【図４】
2004164906.tif 000006
【図５】
2004164906.tif 000007
【図６】
2004164906.tif 000008